(57)【要約】【課題】長方形状のシートから、樹木を囲むように敷くことができるイベント用シートを簡易に作成することができるイベント用シートの製造方法、及びそのようなイベント用シートの製作キットの提供。【解決手段】長方形状のシート材を準備し、前記シート材の重心を定め、前記重心を中心とし半径の異なる２つの円に沿って、前記シート材を切断し、前記２つの円の間を繋ぐ切込みを形成すること、を含むことを特徴とするイベント用シートの製造方法。長方形状のシート材の対向する頂点の間を渡すための紐と、前記シート材に半径の異なる２つの円を描くための筆記具と、前記シート材において前記２つの円の間を繋ぐ切込みの両側同士を着脱自在に連結するための留め具と、を有することを特徴とするイベント用シートの製作キット。【選択図】図１
2018192226.tif 000002
【特許請求の範囲】
【請求項１】
略矩形状のシート材を準備し、
前記シート材の重心を定め、
前記重心を中心として半径の異なる２つの円に沿って前記シート材を切断し、中央に開口を有する略環状体を形成し、
前記２つの円の間を繋ぐ切込みを設けること、
を含むことを特徴とするイベント用シートの製造方法。
【請求項２】
前記シート材の対向する頂点の間に重心決定用紐を渡すことで前記シート材の重心を定めること、
を特徴とする請求項１に記載のイベント用シートの製造方法。
【請求項３】
前記重心を中心として長さの異なる円決定用紐を回転させることによって前記半径の異なる２つの円を定めること、
を特徴とする請求項１又は２に記載のイベント用シートの製造方法。
【請求項４】
略矩形状のシート材を準備し、
前記シート材の重心を定め、
前記重心を中心として半径の異なる２つの円に沿って前記シート材を切断し、中央に開口を有する略環状体を形成し、
前記２つの円の間を繋ぐ切込みを設け、
前記開口内に樹木が位置するように前記略環状体を地面に設置すること、
を特徴とするイベント用シートの設置方法。
【請求項５】
略矩形状のシート材と、
前記シート材の対向する頂点の間を渡すための重心決定用紐と、
前記シート材に半径の異なる２つの円を描くための円決定用紐及び筆記具と、
を有することを特徴とするイベント用シートの製作キット。
【請求項６】
前記重心決定用紐が前記円決定用紐としても利用可能であること、
を特徴とする請求項５に記載のイベント用シートの製作キット。
【発明の詳細な説明】
【技術分野】
【０００１】
本発明は、主として樹木の根元や下での使用に適したイベント用シートの製造方法及び設置方法並びに製作キットに関する。当該イベントは例えば花見や農作業を含む概念である。
【背景技術】
【０００２】
例えば、屋外で花見を楽しむために、桜などの樹木の周辺にシート（例えばいわゆるブルーシートやレジャーシート）を敷くことがある。このようなシートは、通常、長方形状などの略矩形状である（例えば、特許文献１）。
【先行技術文献】
【特許文献】
【０００３】
【特許文献１】特開２００５−２０５０５９号公報
【発明の概要】
【発明が解決しようとする課題】
【０００４】
ところで、花を十分に鑑賞するためには、人が樹木の根元や下で、その樹木を囲むように座ることができることが好ましい。しかし、略矩形状のシートを樹木の周りに敷き詰めることは難しい。
【０００５】
他方、果樹園等では、例えば林檎やさくらんぼ等の果物を収穫する際には、果樹の幹の近くに設置した脚立等に乗って収穫作業をするが、このとき、誤って直接に地面に果物を落としてしまうことがあったため、この収穫作業等の農作業に適したシートも求められていた。
【０００６】
そこで、本発明は、略矩形状のシートから、樹木を囲むように敷くことができ、花見や農作業等のイベントに使用できるシートを簡易に作成することができるイベント用シートの製造方法、並びに、そのようなイベント用シートの設置方法及び製作キットを提供することを目的とする。
【課題を解決するための手段】
【０００７】
上述した課題を解決すべく、本発明は、
略矩形状のシート材を準備し、
前記シート材の重心を定め、前記重心を中心として半径の異なる２つの円に沿って前記シート材を切断し、中央に開口を有する略環状体を形成し、
前記２つの円の間を繋ぐ切込みを設けること、
を含むことを特徴とするイベント用シートの製造方法を提供する。
なお、ここでいう重心は、略矩形状のシートのおおよその中心で足りる。また、略矩形状のシートは、長方形状のシート及び正方形状のシートを含むものとする。
【０００８】
上記のような構成を有する本発明のイベント用シートの製造方法では、前記シート材における前記切込みの両側同士を着脱自在に連結するための留め具を取り付けること、を更に含むこと、が好ましい。
【０００９】
また、上記のような構成を有する本発明のイベント用シートの製造方法では、前記シート材の対向する頂点の間に紐（重心決定用紐）を渡すことで前記シート材の重心を定めること、が好ましい。
【００１０】
また、上記のような構成を有する本発明のイベント用シートの製造方法では、前記２つの円のうち半径が小さい方の円が、その円の内側に樹木が配置されるような寸法であり、前記２つの円のうち半径が大きい方の円が、前記シート材の対向する２対の辺のうち短辺の長さとほぼ同じ直径を有すること、が好ましい。
【００１１】
また、本発明は、
略矩形状のシート材を準備し、
前記シート材の重心を定め、
前記重心を中心として半径の異なる２つの円に沿って前記シート材を切断し、中央に開口を有する略環状体を形成し、
前記２つの円の間を繋ぐ切込みを設け、
前記開口内に樹木が位置するように前記略環状体を地面に設置すること、
を特徴とするイベント用シートの設置方法、
も提供する。
【００１２】
更に、本発明は、
略矩形状のシート材と、
前記シート材の対向する頂点の間を渡すための重心決定用紐と、
前記シート材に半径の異なる２つの円を描くための円決定用紐及び筆記具と、
を有することを特徴とするイベント用シートの製作キット、
をも提供する。
ここで、前記重心決定用紐が前記円決定用紐としても利用可能であること（即ち、一つの紐に、例えば目盛りを予め記載する等することにより、重心決定用紐及び円決定用紐として機能させること）が好ましい。
【００１３】
また、当該製作キットは、前記シート材において前記２つの円の間を繋ぐ切込みの両側同士を着脱自在に連結するための留め具、を具備していてもよい。
【発明の効果】
【００１４】
本発明によれば、略矩形状のシートから、樹木等を囲むように敷くことができるイベント用シートを簡易に作成することができるイベント用シートの製造方法、並びにそのようなイベント用シートの設置方法及び製作キットを提供することができる。
【図面の簡単な説明】
【００１５】
【図１】本発明の代表的な実施形態に係る花見用シートの概略図である。
【図２】図１の花見用シートの作成工程のうち、長方形状のシートの重心を求める工程を示す図である。
【図３】図１の花見用シートの作成工程のうち、長方形状のシートに２つの円を描く工程を示す図である。
【図４】図１の花見用シートの作成工程のうち、長方形状のシートを切り抜くとともに切込みを形成する工程を示す図である。
【図５】図１の花見用シートの作成工程のうち、面ファスナーを取り付ける工程を示す図である。
【発明を実施するための形態】
【００１６】
以下、本発明の代表的な実施形態に係る花見用シートの製造方法及び設置方法、並びに製作キットを、図面を参照しつつ詳細に説明する。ただし、本発明はこれら図面に限定されるものではない。また、図面は、本発明を概念的に説明するためのものであるから、理解容易のために、必要に応じて寸法、比又は数を誇張又は簡略化して表している場合もある。
【００１７】
［花見用シートの概略］
まず、図１を参照して、花見用シート１の概略を説明する。花見用シート１は、例えば桜のような樹木３１を囲むように敷かれる樹脂製シート材である。このような花見用シート１は、シート１３、切込み１５、及び面ファスナー１６の構成要素を有している。以下、これらの構成要素を順に説明する。
【００１８】
シート１３は、種々の材料で構成されていてよい。例えばポリエチレン、ポリプロピレン又はポリカーボネート等のような樹脂素材で作製される樹脂製シート等のシート材である。また、これらの樹脂製シートにアルミニウム等の金属フィルムをラミネート加工したアルミシート等の積層シート材であってもよい。また、このようなシート１３は、ほぼ円状の外縁１３Ａ、及び、その外縁１３Ａとほぼ同心円状の内縁１３Ｂを持ち、全体としてドーナツのような略環状体の形状を有している。
【００１９】
切込み１５は、外縁１３Ａと内縁１３Ｂとの間に亘って形成された切り目であり、例えば一定の間隔を有する隙間（スリット）であってもよい。この切込み１５は、樹木３１を内縁１３Ｂの内側に挿入するために設けられる。
【００２０】
面ファスナー１６は、シート１３における切込み１５の両側同士を着脱自在に連結する留め具の一例である。留め具の他の例としては、例えばボタンやスライドファスナーでもよい。
【００２１】
［花見用シートの製造工程］
図２〜図５を参照して、上述した構成を有する花見用シート１の製造工程を説明する。
まず、長方形状のシート材１１を準備する。シート材１１は、例えば、市販されているブルーシートやレジャーシートでよい。また、上述のとおり、シート材１１は、正方形でもよい。
【００２２】
次いで、シート材１１の重心（中心）Ｏの大よその位置を定める。ここでは、図２に示すように、シート材１１の対向する頂点Ａ，Ｃ及び頂点Ｂ，Ｄにそれぞれ紐（重心決定用紐）２１及び紐（重心決定用紐）２２を渡すことで、重心Ｏを定める。この手法は、例えば大きなシート材の重心を簡便に定めるのに有用である。なお、重心Ｏの他の定め方としては、例えば、シート材１１を対角線に沿って折ったり、シート材１１を四つ折りしたりすることでもよい。
【００２３】
そして、図３に示すように、重心Ｏを中心とし異なる半径Ｐ，Ｒを持つ２つの円Ｑ，Ｓを描く。外側の円Ｑの半径Ｐは、内側の円Ｓの半径Ｒより大きく、本実施形態においては、シート材１１の短辺１１Ａのほぼ半分の長さである。また、内側の円Ｓの半径Ｒは、例えば図１のように、内縁１３Ｂの内側に樹木３１が配置されるような長さであることが好ましい。
【００２４】
円Ｑ，Ｓは、例えばペンなどの筆記具２４で描かれる。例えば、一端に筆記具２４を取り付けた、長さＰの紐（円決定用紐）２３を用意し、その紐２３の他端を重心Ｏに固定して、円Ｑを描く。同様に、一端に筆記具２６を取り付けた、長さＲの紐（円決定用紐）２５を用意し、その紐２５の他端を重心Ｏに固定して、円Ｓを描く。このようにして、シート材１１を、周辺部１２、シート１３、及び中央部１４の各領域に区分けする。
【００２５】
次に、図３及び図４に示すように、例えばハサミやカッターナイフのような切断具で、円Ｑ，Ｓに沿ってシート材１１を切断することで、シート材１１を、周辺部１２、シート１３及び中央部１４に分割する。したがって、外側の円Ｑはシート１３の外縁１３Ａに対応し、内側の円Ｓは内縁１３Ｂに対応する。あわせて、円Ｑ，Ｓ（外縁１３Ａ、内縁１３Ｂ）の間に亘って切込み１５を形成する。
【００２６】
次いで、図５に示すように、シート１３における切込み１５の両側に、面ファスナー１６（ファスナー片１６Ａ，１６Ｂ）を取り付け、これにより花見用シート１が完成する。面ファスナー１６は、例えば、シート１３に縫い付けてもよいし、接着剤や両面シールでシート１３に貼り付けてもよい。
【００２７】
このように、本実施形態によれば、市販されている長方形状のブルーシートやレジャーシートから、樹木を容易に囲むことができる花見用シート１を簡易に製造することができる。
【００２８】
また、花見用シート１を製造するためには、一般家庭において容易に入手可能なシート材１１や切断具（例えばハサミ）のほかに、重心Ｏを定めるための紐（重心決定用紐）２１，２２、円Ｑ，Ｓを描くための紐（円決定用紐）２３，２５、筆記具２４，２６、及び面ファスナー１６が一揃えあれば足りる。なお、筆記具２４，２６はいずれか一方で足りる。
【００２９】
以上、本発明の代表的な実施形態について説明したが、本発明はこれらに限定されるものではなく、種々の設計変更が可能であり、それらも本発明に含まれる。
【００３０】
例えば、紐（重心決定用紐）２１，２２は、１本でもよい。例えば、１本の紐を頂点Ａ，Ｃの間に渡して中心の近傍に印を付け、次いで、この紐を頂点Ｂ，Ｄの間に渡して中心の近傍に印を付けることで、重心Ｏを定めてもよい。
【００３１】
また、紐（円決定用紐）２３，２５も、１本であってもよく、外側の円Ｑを描くための紐２３は、内側の円Ｓを描くための紐２５を兼ねてもよい。例えば、１本の紐を重心Ｏに固定し、異なる２つの長さの位置で筆記具とともに掴み、重心Ｏを中心に回転することにより、２つの異なる円を描けばよい。
【００３２】
更には、１本の紐に紐（重心決定用紐）２１，２２及び紐（円決定用紐）２３，２５の機能を持たせてもよい。即ち、重心決定用紐に円決定用紐として利用可能としてもよい。例えば、一つの紐に、例えば目盛りを予め記載する等することにより、重心決定用紐及び円決定用紐として機能させることが可能である。
【００３３】
また、花見用シート１の面積を大きくするため、円Ｑの半径Ｐを、シート材１１の長い方の辺１１Ｂのほぼ半分の寸法にしてもよい。
【産業上の利用可能性】
【００３４】
本発明のイベント用シートは、上記のように花見の際の使用に好適であるが、農作業にも好適である。例えば、果樹園等で林檎やさくらんぼ等の果物を収穫する際、果樹の幹の近くに設置した脚立等に乗って収穫作業をするが、このとき、誤って直接に地面に果物を落としてしまうことがあるところ、この収穫作業において本発明のイベント用シートを使用すれば、地面に直接落とすことなく果物等を収穫することができる。即ち、本発明のイベント用シートは、農作業用資材（農作業用シート）としても好適に使用することができる。
【００３５】
その他にも、本発明のイベント用シートは、樹木や建造物等を中心にして、その周辺で何らかのイベントを実施する場合に、好適に用いることができる。当該イベントは、収穫作業等の農作業や花見等のみに限定されるものではなく、ＢＢＱ等も考えられる。ＢＢＱの場合、中央にコンロを設置してもよい。
【符号の説明】
【００３６】
１・・・花見用シート、
１３・・・シート、
１５・・・切込み、
１６・・・面ファスナー、
２１，２２・・・紐、
２３，２５・・・紐、
２４，２６・・・筆記具。
【図１】
2018192226.tif 000003
【図２】
2018192226.tif 000004
【図３】
2018192226.tif 000005
【図４】
2018192226.tif 000006
【図５】
2018192226.tif 000007
【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
略矩形状のシート材を準備し、
前記シート材の重心を定め、
前記重心を中心として半径の異なる２つの円に沿って前記シート材を切断し、中央に開口を有する略環状体を形成し、
前記２つの円の間を繋ぐ切込みを設け、
前記開口内に樹木が位置するように前記略環状体を地面に設置すること、
を特徴とするイベント用シートの設置方法。